(57)【特許請求の範囲】
【請求項１】
沈砂と水に分離する沈砂分離装置において、
底部に排出部が形成され、前記排出部から沈砂を排出する沈砂分離槽と、
前記排出部から排出された沈砂を搬送する第一の搬送部と、
前記第一の搬送部に連結され、前記第一の搬送部で搬送された沈砂を前記沈砂分離槽の水位より上に搬送する第二の搬送部と、を備え、
前記第二の搬送部の水平面に対する角度は、前記第一の搬送部の水平面に対する角度よりも大きく、
前記沈砂分離槽は旋回流の形成により沈砂と水に分離させる槽であることを特徴とする沈砂分離装置。
【請求項２】
前記第一の搬送部及び前記第二の搬送部は、スクリューコンベアであることを特徴とする請求項１に記載の沈砂分離装置。
【請求項３】
前記第一の搬送部のスクリューコンベアは、スクリュー羽根のピッチ寸法が搬送方向下流側に向かって縮小するように形成されることを特徴とする請求項２に記載の沈砂分離装置。
【請求項４】
更に、前記第一の搬送部又は前記第二の搬送部を駆動するための動力を供給する動力部と、前記動力を伝達する動力伝達部と、を備え、前記第一の搬送部及び前記第二の搬送部は、一つの動力部により駆動されることを特徴とする請求項１〜３のいずれかに記載の沈砂分離装置。
【請求項５】
前記沈砂分離槽と前記第一の搬送部と前記第二の搬送部の搬送方向寸法は、前記沈砂分離槽の平面最大寸法の２倍以下であることを特徴とする請求項１〜４のいずれかに記載の沈砂分離装置。
【請求項６】
沈砂と水に分離する沈砂分離装置において、
底部に排出部が形成され、前記排出部から沈砂を排出する沈砂分離槽と、
前記排出部から排出された沈砂を搬送する第一の搬送部と、
前記第一の搬送部に連結され、前記第一の搬送部で搬送された沈砂を前記沈砂分離槽の水位より上に搬送する第二の搬送部と、
前記第一の搬送部及び前記第二の搬送部の搬送速度を制御する制御部と、を備え、
前記第二の搬送部の水平面に対する角度は、前記第一の搬送部の水平面に対する角度よりも大きく、
前記制御部は、第一の搬送部の搬送速度が第二の搬送部の搬送速度より高くなるように制御することを特徴とする沈砂分離装置。
【発明の詳細な説明】
【技術分野】
【０００１】
本発明は、沈砂を含有する被処理水を、沈砂と処理水に分離する沈砂分離装置に関するものである。
【背景技術】
【０００２】
下水処理場や浄水場等の沈砂池の底部に堆積した沈砂は、ポンプを用いて揚砂され、比重分離、遠心分離等を用いた固液分離装置により水分と分離される。固液分離装置では、分離された沈砂が固液分離槽の底部から排出され、スクリューコンベア等の搬送装置により、固液分離槽の水面より上部まで搬送される。
【０００３】
例えば、特許文献１には、汚砂混合水が導入される固液分離槽と、固液分離槽の下に設置された沈降槽を備えた砂分離洗浄装置が記載されている。この装置では、分離された沈砂は沈降槽の底部の略中心から排出され、スクリューコンベアにより固液分離槽の水面の上部まで搬送される。スクリューコンベアは、沈砂分離槽の底部の略中心から沈砂分離槽の水位の上部に至るまで傾斜して設置されている。
【先行技術文献】
【特許文献】
【０００４】
【特許文献１】特開２００７−６１７５９号公報
【発明の概要】
【発明が解決しようとする課題】
【０００５】
沈砂分離装置の底部の略中心から上方に向けて傾斜したスクリューコンベアは、上部に備えた沈砂分離槽の外周と接触しないように、緩やかな傾斜角度で設置されている。そのため、スクリューコンベアが長くなり、沈砂分離装置が長大化するという課題がある。
そこで、本発明の課題は、沈砂分離装置の搬送方向寸法を短縮することにある。
【課題を解決するための手段】
【０００６】
本発明者は、上記の課題について鋭意検討した結果、第一の搬送部と第二の搬送部を設けることにより、屈折した搬送部が構成され、沈砂分離装置の搬送方向寸法を短縮できることを見いだして本発明を完成した。
具体的には、以下の沈砂分離装置である。
【０００７】
上記課題を解決するための本願発明の沈砂分離装置とは、沈砂と水に分離する沈砂分離装置において、底部に排出部が形成され、前記排出部から沈砂を排出する沈砂分離槽と、前記排出部から排出された沈砂を搬送する第一の搬送部と、前記第一の搬送部に連結され、前記第一の搬送部で搬送された沈砂を前記沈砂分離槽の水位より上に搬送する第二の搬送部と、を備え、前記第二の搬送部の水平面に対する角度は、前記第一の搬送部の水平面に対する角度よりも大きいことを特徴とする沈砂分離装置である。
【０００８】
この沈砂分離装置によれば、第一の搬送部と第二の搬送部からなり、上方向に向かって屈折した搬送部が構成されるため、沈砂分離装置の搬送方向寸法を短縮することができる。
【０００９】
また、この沈砂分離装置によれば、第一の搬送部と第二の搬送部を別々に駆動することができる。そのため、分離された沈砂量が少ない場合には、例えば、第二の搬送部を止めることにより、第一の搬送部の終端で沈砂を濃縮し、その後、第二の搬送部を駆動して、濃縮された沈砂を効率的に搬送するという運転も可能となる。このように運転することにより、効率よく沈砂が搬送されるため、搬送部の動力の省電力化を実現できるという効果もある。
【００１０】
本願発明は更に、第一の搬送部及び第二の搬送部は、スクリューコンベアであるという特徴を有する。
この構成によれば、簡素な構造により搬送部を形成することができる。また、スクリューコンベアは、バケットコンベア等のようにバケットの返送用の空間がなく、搬送装置として小さい装置であるため、沈砂分離装置の搬送方向寸法を短縮するという本発明の効果が顕著に発揮される。
【００１１】
本願発明は更に、第一の搬送部のスクリューコンベアは、スクリュー羽根のピッチ寸法が搬送方向下流側に向かって縮小するように形成されるという特徴を有する。
スクリューコンベアは、スクリュー羽根のピッチ寸法を小さくすることにより、搬送速度が減速する。そのため、第一の搬送部において、搬送方向下流側に向かってスクリュー羽根のピッチを縮小することにより、沈砂を濃縮することができる。
【００１２】
本願発明は更に、第一の搬送部又は第二の搬送部を駆動するための動力を供給する動力部と、前記動力を伝達する動力伝達部と、を備え、第一の搬送部及び第二の搬送部は、一つの動力部により駆動されるという特徴を有する。
この構成によれば、一つの動力装置により、第一及び第二の搬送部を駆動することができるため、設備を簡素化することができる。
【００１３】
本願発明は更に、第一の搬送部及び第二の搬送部の搬送速度を制御する制御部を備え、前記制御部は、第一の搬送部の搬送速度が第二の搬送部の搬送速度より高くなるように制御するという特徴を有する。
この構成によれば、第一の搬送部の終端において沈砂が溜まるため、沈砂を濃縮することができる。
【００１４】
本願発明は更に、沈砂分離槽と第一の搬送部と第二の搬送部の搬送方向寸法は、沈砂分離槽の平面最大寸法の２倍以下であるという特徴を有する。
この構成によれば、コンパクトに構成された沈砂分離装置を提供することができるため、設置面積の省スペース化が実現される。
【発明の効果】
【００１５】
本願発明によると、沈砂を含有する被処理水を沈砂と処理水に分離する沈砂分離装置において、沈砂分離装置の搬送方向寸法を短縮して設置面積を小さくすることができる。
【図面の簡単な説明】
【００１６】
【図１】本発明の第１の実施態様の沈砂分離装置の構造を示す概略説明図である。
【図２】本発明の第１の実施態様の沈砂分離装置において、第一の搬送部の水平面に対する角度（α）及び第二の搬送部の水平面に対する角度（β）を示す概略説明図である。
【図３】本発明の第１の実施態様の沈砂分離装置の構造を示す平面図であり、沈砂分離槽の平面最大寸法（Ａ）及び沈砂分離槽と第一の搬送部と第二の搬送部の搬送方向寸法（Ｂ）を示す概略説明図である。
【図４】本発明の第２の実施態様の沈砂分離装置の構造を示す概略説明図である。
【図５】本発明の第２の実施態様の沈砂分離装置の構造を示す平面図であり、沈砂分離槽の平面最大寸法（Ａ）及び沈砂分離槽と第一の搬送部と第二の搬送部の搬送方向寸法（Ｂ）を示す概略説明図である。
【図６】本発明の第３の実施態様の沈砂分離装置の構造を示す概略説明図である。
【図７】本発明の第４の実施態様の沈砂分離装置の構造を示す概略説明図である。
【発明を実施するための形態】
【００１７】
本発明の沈砂分離装置は、沈砂を含有する被処理水を、沈砂と処理水に固液分離するための装置である。
被処理水とは、砂等の粒子と液体が混合された粒子分散液であり、分散媒である液体より粒子の比重が高いものであればよい。具体的には、下水処理設備等の水処理施設において、沈砂池の底に沈殿した沈砂を揚水して得られる沈砂含有水等が挙げられる。
【００１８】
以下、図面を参照しつつ本発明に係る沈砂分離装置の実施態様を詳細に説明する。
【００１９】
［第１の実施態様］
図１、２は、本発明の第１の実施態様の沈砂分離装置１ａを示す概略説明図である。
図１に図示するように、本発明の第１の実施態様の沈砂分離装置１ａは、被処理水ＷＳを沈砂Ｓと処理水Ｗに固液分離するための沈砂分離槽４、沈砂分離槽４の底部から排出された沈砂Ｓを搬送するための第一の搬送部２ａ、第一の搬送部２ａと連結され、第一の搬送部２ａで搬送された沈砂Ｓを沈砂分離槽４の水位より上まで搬送する第二の搬送部３ａを備えている。
【００２０】
本発明の沈砂分離装置は、沈砂分離槽の底部から排出された沈砂Ｓを搬送するための搬送部として、第一の搬送部および第二の搬送部を備えており、屈折した搬送部を構成することができる。そのため、沈砂分離槽及び搬送部を合わせた搬送方向寸法を短縮することができる。なお、搬送方向寸法の詳細については後述する。
【００２１】
次に、本発明の沈砂分離装置１ａの各部について詳細に説明する。
（沈砂分離槽）
第１の実施態様の沈砂分離槽４は、円筒体の下部に逆さ截頭円錐体の底部を備えた形状であり、底部の略中心に沈砂Ｓを排出するための排出部６を備えている。また、沈砂分離槽４の上部には、円筒体の接線方向から被処理水ＷＳを流入させるための流入部９が形成され、内部には、分離された処理水Ｗを排出するための処理水排水部５が立設されている。処理水排水部５は、上端部が垂直方向に開口した筒状部材であり、下端部は湾曲して沈砂分離槽４の外部と連通している。なお、処理水排水部５の下端部の形状は、外部と連通していればどのような形状でもよく、例えば、筒状部材の下端を直角や鈍角に屈折した形状等でもよい。
【００２２】
被処理水ＷＳは、流入部９より流入して、沈砂分離槽４内に旋回流ＲＦを形成する。そして、旋回流ＲＦの遠心力と重力沈降により、被処理水ＷＳは沈砂Ｓと処理水Ｗに分離される。沈砂Ｓは、沈砂分離槽４の内壁に沿って沈降し、底部の排出部６より排出される。一方、処理水Ｗは、処理水排水部５の上端開口を越流して、沈砂分離槽４の外へ排水される。なお、排出部６より排出される沈砂Ｓとは、水分と完全に分離した粒子ではなく、沈砂分離槽４により濃縮された分散液あるいは泥状物である（濃縮とは、水分割合を減らすことを言う）。
【００２３】
本発明の沈砂分離槽４は、底部に排出部６を備えた構成であれば、どのような固液分離手段を用いてもよい。第１の実施態様のように、遠心分離と重力沈降を利用した沈砂分離槽のほか、例えば、沈降分離を利用した沈砂分離槽等でもよい。
【００２４】
遠心分離及び重力沈降を利用した沈砂分離槽では、強い遠心力を発生するために、沈砂分離槽に一定の直径が確保され、また、旋回流ＲＦを乱さないように、沈砂分離槽の略中心に排出部６を設ける必要がある。そのため、従来の搬送部で傾斜角を高くすることは困難であった。また、沈砂分離槽の底部の逆さ截頭円錐体の高さを高くすることにより、搬送部の傾斜角を多少高めることも可能であるが、その場合には、沈砂分離槽の流入部の高さが高くなるため、被処理水ＷＳを揚水する動力が大きくなるという課題も生じる。
このように、遠心分離及び重力沈降を利用した沈砂分離槽では、搬送部の設置面積の長大化が不可避であり、本発明の効果が顕著に発揮される。
【００２５】
（第一の搬送部）
沈砂分離槽４の排出部６より排出された沈砂Ｓは、第一の搬送部２ａに導入される。第一の搬送部２ａは、内部にスクリュー７ａを備えたスクリューコンベアからなり、略水平に設置されている。
スクリューコンベアは、ケーシング１４の内部に設置されたスクリュー７ａにより構成され、更に、スクリュー７ａは、スクリュー軸１５及びその周囲に螺旋状に配されたスクリュー羽根１６により構成される。スクリュー軸１５は、動力部であるモーター８ａに連結され、回転駆動する。なお、第二の搬送部に利用されるスクリューコンベアも同様に構成される。
【００２６】
ここで、第一の搬送部２ａは、上部の沈砂分離槽４を接触しない範囲において、傾斜するように設置してもよい（例えば、図２の破線で示した第一の搬送部２ａ参照。）。傾斜方向としては、搬送方向下流側に向かって上昇する方向でも、下降する方向でもよい。上昇方向に傾斜して設置すると、第一の搬送部と第二の搬送部の総距離が短縮されるため、効率よく沈砂Ｓを沈砂回収口まで搬送することができる。一方、下降方向に傾斜して設置すると、沈砂Ｓが重力方向に流下するため搬送しやすいという効果がある。
【００２７】
また、第一の搬送部における搬送手段としては、第１の実施態様のように、スクリューコンベアのほか、ベルトコンベア等のでもよい。スクリューコンベアの構成についても、第１の実施態様のスクリューの形状に限定されるものではなく、スクリュー軸のないシャフトレススクリューでもよい。
スクリューコンベアを用いると、沈砂を搬送方向に向けて強制的に搬送することができるため、押圧作用により沈砂Ｓを濃縮することができる。
【００２８】
更には、第一の搬送部としてスクリューコンベアを用いた場合には、スクリュー羽根のピッチ寸法を、搬送方向下流側に向かって縮小することが好ましい。第一の搬送部のスクリュー羽根のピッチ寸法については、第２の実施態様で詳述する。
【００２９】
（第二の搬送部）
第一の搬送部２ａにより搬送された沈砂Ｓは、第二の搬送部３ａに導入される。第二の搬送部３ａは、内部にスクリュー７ｂを備えたスクリューコンベアからなり、略垂直に設置されている。第二の搬送部３ａは、沈砂分離槽４の水位より高くなるように設置され、沈砂分離槽４と略同じ高さまで、濃縮された被処理水ＷＳで満たされている。なお、スクリューコンベアの構成については、第一の搬送部と同様である。
【００３０】
第二の搬送部３ａに導入された沈砂Ｓは、略垂直に設置されたスクリューコンベアにより、水面より上部まで搬送され、第二の搬送部３ａの上端に設けられた沈砂回収口１０から排出される。
【００３１】
第一の実施態様の第二の搬送部３ａは、略垂直に設置されているが、所望の設置面積に応じて傾斜して設置してもよい。傾斜方向としては、第一の搬送部２ａと同じ方向としても、第一の搬送部２ａの搬送方向と異なる方向（図１の紙面手前又は奥方向）に傾斜してもよい。
第二の搬送部を略垂直に設置すると、設置面積を最小化することができる。また、傾斜して設置した場合には、沈砂がケーシングの傾斜方向側に集積するため、スクリューコンベアの内部で濃縮されやすいという効果がある。
【００３２】
第二の搬送部における搬送手段としては、第１の実施態様のように、スクリューコンベアのほか、バケットコンベア等の搬送手段としてもよい。スクリューコンベアは、バケットコンベア等のようにバケットの返送のための空間がなく、コンパクトな装置であるため、沈砂分離装置の短縮化という本発明の効果を顕著に発揮することができる。
【００３３】
更には、第二の搬送部としてスクリューコンベアを用いた場合には、スクリュー羽根のピッチ寸法を、水位より高い位置において、小さくなるように形成することが好ましい。第二の搬送部のスクリュー羽根のピッチ寸法についても、第一の搬送部と同様、第２の実施態様で詳述する。
【００３４】
（第一の搬送部及び第二の搬送部の水平面に対する角度について）
本発明の沈砂分離装置では、第二の搬送部の水平面に対する角度（図２において「β」で示した角度。）は、第一の搬送部の水平面に対する角度（図２において「α」で示した角度。）より大きくなるように構成されている。この構成により、搬送部は、上方に向かって屈折した形状となり、搬送方向寸法を短縮することができる。
【００３５】
ここで、各搬送部の水平面に対する角度とは、各搬送部の搬送開始点において水平面と交差し、搬送終点方向に伸びる搬送部と水平面が形成する角度である。例えば、第一の搬送部２１が下方に向かって傾斜するように設置した場合には、第一の搬送部２ａの水平面に対する角度αは、負の値となる。なお、第１の実施態様の沈砂分離装置１ａにおいて、αは０°、βは９０°である。
【００３６】
（沈砂分離装置の搬送方向寸法について）
本発明の沈砂分離装置１ａの搬送方向寸法について、図３を参照して説明すると、搬送方向寸法とは、沈砂分離装置１ａを平面視した際の沈砂分離槽４と、第一の搬送部２ａ及び第二の搬送部３ａを備えた搬送部を合わせた寸法である（図３の（Ｂ）参照。）。なお、図３の（Ｂ）に示すように、本発明において、モーター８ａ、沈砂回収口１０等の搬送部の附属部品については、沈砂分離装置１ａの搬送方向寸法に含まない。
ここで、搬送方向とは、第一の搬送部２ａの搬送方向と定義され、例えば、第二の搬送部３ａを図３の上方向又は下方向（図１の紙面手前又は奥方向）に傾斜するように設置しても、沈砂分離装置１ａの搬送方向寸法は変化しない。本発明は、従来の沈砂分離装置では、搬送方向に長大化するという課題を解決するものであるため、第一の搬送部２ａの搬送方向における寸法を短縮することにより発明の効果を奏するからである。
【００３７】
本発明の沈砂分離装置１ａの搬送方向寸法は、第一の搬送部及び第二の搬送部の水平面に対する角度や、各搬送部の長さ等を適宜調整することにより設計される。装置の短縮化という観点から、沈砂分離槽４の平面最大寸法（図３の（Ａ）参照。）に対して、２倍以下とすることが好ましく、更に好ましくは、１．５倍以下である。
【００３８】
［第２の実施態様］
図４、５は、本発明の第２の実施態様の沈砂分離装置１ｂを示す概略説明図である。
図４に図示するように、本発明の第２の実施態様の沈砂分離装置１ｂは、第一の搬送部２ｂとして、スクリュー羽根のピッチ寸法が搬送方向下流側に向かって縮小したスクリュー７ｃを備えたスクリューコンベア、第二の搬送部３ｂとして、スクリュー羽根のピッチ寸法が水位より上部において小さく形成されたスクリュー７ｄを備えたスクリューコンベアを適用したものである。
なお、スクリュー羽根のピッチ寸法とは、スクリュー羽根の１回転当たりの搬送方向の距離である（図４の（Ｃ）参照。）。
【００３９】
スクリュー羽根のピッチ寸法を縮小すると、縮小した領域において沈砂の搬送速度が減少する。そのため、縮小した領域に沈砂が溜まって濃縮される。
第一の搬送部２ｂでは、搬送方向下流側に向かってピッチ寸法が漸次縮小するように構成されているため、第一の搬送部２ｂの終端部において、更に濃縮された沈砂Ｓを得ることができる。なお、ピッチ寸法が漸次縮小するとは、連続的に縮小する構成も、段階的に縮小する構成も含まれる。
【００４０】
第二の搬送部３ｂでは、第二の搬送部３ｂの内部に満たされた被処理水ＷＳの水面より上部において、ピッチ寸法が小さく形成されている。そのため、沈砂回収口１０から排出される前に沈砂Ｓから水分を絞り出すことができる。なお、第一の搬送部２ｂと同様、ピッチ寸法は、連続的に縮小しても、段階的に縮小してもよい。
【００４１】
また、第２の実施態様の沈砂分離装置１ｂでは、第二の搬送部３ｂが、沈砂分離装置１ｂの搬送方向寸法が沈砂分離槽４の平面最大寸法の２倍を超えない範囲において、搬送方向側に傾斜している。
傾斜式のスクリューコンベアとすることにより、沈砂Ｓがケーシング内の傾斜した側に集積されるため、沈砂Ｓを濃縮する効果を奏する。
【００４２】
更に、第２の実施態様の沈砂分離装置１ｂでは、スクリュー７ｃ及び７ｄに動力を与えるモーター８ａ及び８ｂに制御部１１が設けられ、スクリュー７ｃの回転数をスクリュー７ｄの回転数より高くなるように制御している。
これにより、第二の搬送部３ｂにおける沈砂Ｓの搬送速度が、第一の搬送部２ｂにおける沈砂Ｓの搬送速度より小さくなるため、第一の搬送部２ｂと第二の搬送部３ｂの連結部に沈砂Ｓが溜まって濃縮されるという効果を奏する。
【００４３】
なお、第一の搬送部２ｂ及び第二の搬送部３ｂの搬送速度は、各搬送部２ｂ及び３ｂを断続的に運転し、停止時間を調整することにより制御してもよい。すなわち、第一の搬送部２ｂと第二の搬送部３ｂを同じ搬送速度とし、第二の搬送部３ｂの停止時間を、第一の搬送部２ｂの停止時間より長くすることにより、第二の搬送部３ｂにおける沈砂Ｓの搬送速度を、第一の搬送部２ｂにおける沈砂Ｓの搬送速度より小さくすることができる。
【００４４】
また、本発明の沈砂分離装置は、第一の搬送部２ｂ及び第二の搬送部３ｂを断続的に運転し、第一の搬送部２ｂの終端部で沈砂を濃縮することにより、第一の搬送部２ｂ及び第二の搬送部３ｂに用いる総消費電力を抑制する効果もある。
【００４５】
［第３の実施態様］
図６は、本発明の第３の実施態様の沈砂分離装置１ｃを示す概略説明図である。
図６に図示するように、本発明の第３の実施態様の沈砂分離装置１ｃでは、第一の搬送部２ａのスクリュー７ａに動力を供給するモーター８ｃを備え、更に、モーター８ｃの動力を第二の搬送部３ａのスクリュー７ｂに伝達する動力伝達部１２を備えたものである。
第３の実施態様では、動力部としてモーター８ｃを一つだけ設置すればよいため、簡素な構造とすることができる。また、モーター等の動力機器を減らすことにより、設備コストを低減することもできる。
【００４６】
動力伝達部の構成は、一つの動力部により第一の搬送部及び第二の搬送部を駆動できればどのように構成してもよい。例えば、一つの動力部と二つの動力伝達部を設け、第一の搬送部及び第二の搬送部のいずれも動力伝達部を介して駆動してもよい。
また、変速機等を設けることにより、第二の搬送部３ａにおける沈砂Ｓの搬送速度を、第一の搬送部２ａにおける沈砂Ｓの搬送速度より小さくするように構成してもよい。
【００４７】
［第４の実施態様］
図７は、本発明の第４の実施態様の沈砂分離装置１ｄを示す概略説明図である。
図７に図示するように、本発明の第４の実施態様の沈砂分離装置１ｄは、第二の搬送部３ｃとして、バケットコンベアを備えた例である。
バケットコンベアは、無端チェーンと、無端チェーンに取り付けられた複数のバケット１３により構成されている。バケット１３は、水面より上部で沈砂Ｓに含まれる水分を除去できるように、底部に孔が形成されていることが好ましい。
【００４８】
また、第４の実施態様の沈砂分離装置１ｄは、第一の搬送部２ｃとして、搬送方向下流側に向かって上昇するように傾斜して設置されたスクリューコンベアを備えた構成である。上方向に傾斜することにより、第一の搬送部２ｃと第二の搬送部３ｃの総距離を短縮することができる。よって、排出部６から排出された沈砂Ｓは、第二の搬送部３ｃの上部に設けられた沈砂回収口１０まで効率よく搬送される。
【産業上の利用可能性】
【００４９】
本発明の沈砂分離装置は、特に用途を限定することなく、被処理水として、分散媒である液体より分散粒子の比重が高い分散液であれば、どの用途にも利用してもよい。
特に、下水処理設備等の水処理施設では、大型の装置が必要であるため、設置面積を短縮化することが可能な本発明の沈砂分離装置を好適に利用することができる。より詳細には、下水処理設備等の水処理施設の沈砂池に沈殿した沈砂を揚水して得られる沈砂含有水を、沈砂と処理水に分離するために利用することが最適である。
【符号の説明】
【００５０】
１ａ，１ｂ，１ｃ，１ｄ  沈砂分離装置、２ａ，２ｂ，２ｃ  第一の搬送部、３ａ，３ｂ，３ｃ  第二の搬送部、４  沈砂分離槽、５  処理水排水部、６  排出部、７ａ，７ｂ，７ｃ，７ｄ  スクリュー、８ａ，８ｂ，８ｃ  モーター、９  流入部、１０  沈砂回収口、１１  制御部、１２  動力伝達部、１３  バケット、１４  ケーシング、１５  スクリュー軸、１６  スクリュー羽根
【図１】
0006373215.tif 000002
【図２】
0006373215.tif 000003
【図３】
0006373215.tif 000004
【図４】
0006373215.tif 000005
【図５】
0006373215.tif 000006
【図６】
0006373215.tif 000007
【図７】
0006373215.tif 000008